(57)【特許請求の範囲】
【請求項１】
施設情報をユーザに提供するナビゲーション装置であって、
現在位置を算出する現在位置算出部と、
地図上に現在位置を表した案内画像を表示する案内画像表示部と、
投稿記事の投稿を受け付けて投稿された投稿記事を蓄積すると共に検索キーを伴う検索要求に応えて検索キーにマッチする投稿記事を前記蓄積した投稿記事の内から抽出して、抽出した各投稿記事を含む検索結果記事列を返信するＳＮＳ（social networking service）サーバに、前記施設情報をユーザに提供する施設である対象施設の施設名称と肯定的評価を表す語句とを検索キーとする検索要求を無線通信を介して発行し、前記検索結果記事列を取得する検索部と、
前記検索部が取得した検索結果記事列に含まれる複数の投稿記事に重複して含まれる、前記検索キーとした語句を除く語句をキー語句として算定し、算定したキー語句を含む情報を前記対象施設の前記施設情報として、前記案内画像の前記対象施設に対応する位置に重ねて表示する施設情報表示部とを有することを特徴とするナビゲーション装置。
【請求項２】
請求項１記載のナビゲーション装置であって、
前記施設情報表示部は、前記検索結果記事列に含まれる、前記キー語句を含む投稿記事の数を前記施設情報に含めて表示することを特徴とするナビゲーション装置。
【請求項３】
請求項１または２記載のナビゲーション装置であって、
前記検索結果記事列には複数の投稿記事が、当該投稿記事の投稿日時と共に含まれており、
前記施設情報表示部は、前記検索部が取得した検索結果記事列に含まれる投稿記事の内の投稿日時が過去所定期間内の複数の投稿記事に重複して含まれる、前記検索キーとした語句を除く語句をキー語句として算定することを特徴とするナビゲーション装置。
【請求項４】
請求項１、２または３記載のナビゲーション装置であって、
対象物の複数のカテゴリのうちから前記カテゴリの指定を受け付けて対象カテゴリに設定する対象カテゴリ設定部と、
前記カテゴリの各々に対して、当該カテゴリの対象物に対する肯定的評価を表す語句を登録したカテゴリテーブルとを有し、
前記検索部は、前記対象施設の施設名称と、前記対象カテゴリ設定部が設定した前記対象カテゴリに対して前記カテゴリテーブルに登録されている語句とを検索キーとする検索要求を無線通信を介して発行し、前記検索結果記事を取得することを特徴とするナビゲーション装置。
【請求項５】
請求項１、２、３または４記載のナビゲーション装置であって、
前記施設情報表示部は、前記各対象施設の前記施設情報を、前記現在位置が当該対象施設に接近したときに表示することを特徴とするナビゲーション装置。
【請求項６】
請求項１、２、３、４または５記載のナビゲーション装置であって、
前記施設情報表示部が表示した施設情報の選択を受け付け、選択を受け付けた施設情報に含めたキー語句を抽出した投稿記事の一覧を表示する投稿記事表示部を有することを特徴とするナビゲーション装置。
【請求項７】
請求項１、２、３、４または５記載のナビゲーション装置であって、
前記施設情報表示部が表示した施設情報の選択を受け付け、選択を受け付けた施設情報に含めたキー語句を抽出した投稿記事を読み上げる音声を出力する投稿記事読み上げ部を有することを特徴とするナビゲーション装置。
【請求項８】
請求項１、２、３、４、５、６または７記載のナビゲーション装置であって、
対象物の複数のカテゴリのうちから前記カテゴリの指定を受け付けて対象カテゴリに設定する対象カテゴリ設定部と、
前記カテゴリの各々に対して、当該カテゴリ内の対象物に関連する施設種別を登録したカテゴリテーブルと、
前記対象カテゴリ設定部が設定した前記対象カテゴリに対して前記カテゴリテーブルに登録されている施設を前記対象施設として選定する施設選定部とを有することを特徴とするナビゲーション装置。
【請求項９】
請求項１、２、３、４、５、６または７記載のナビゲーション装置であって、
目的地までの誘導ルートを設定する誘導ルート設定部と、
前記誘導ルート周辺の施設を前記対象施設として選定する施設選定部とを有し、
前記案内画像表示部は、前記地図上に現在位置と共に誘導ルートを表した前記案内画像を表示することを特徴とするナビゲーション装置。
【請求項１０】
請求項１、２、３、４、５、６または７記載のナビゲーション装置であって、
前記現在位置周辺の施設を前記対象施設として選定する施設選定部を有することを特徴とするナビゲーション装置。
【請求項１１】
請求項１、２、３、４、５、６または７記載のナビゲーション装置であって、
ユーザから前記案内画像上で指定されたエリア内に位置する施設を前記対象施設として選定する施設選定部を有することを特徴とするナビゲーション装置。
【請求項１２】
請求項１、２、３、４、５、６または７記載のナビゲーション装置であって、
ユーザから前記案内画像上で指定された施設を前記対象施設として選定する施設選定部を有することを特徴とするナビゲーション装置。
【請求項１３】
請求項１、２、３、４、５、６、７、８、９、１０、１１または１２記載のナビゲーション装置であって、
前記対象施設の施設名称と、前記対象施設の施設情報に含まれるキー語句とを自動入力した入力ボックスへの入力を受け付けて、前記入力ボックスに入力された文章を前記投稿記事としてＳＮＳサーバに無線通信を介して投稿する投稿部を有することを特徴とするナビゲーション装置。
【請求項１４】
施設情報をユーザに提供するナビゲーション装置であって、
現在位置を算出する現在位置算出部と、
地図上に現在位置を表した案内画像を表示する案内画像表示部と、
投稿記事の投稿を当該投稿記事の投稿者の座標を表す投稿座標と共に受け付けて投稿された投稿記事を投稿座標と対応づけて蓄積すると共に、検索座標と検索キーワードを伴う検索要求に応えて、検索座標にマッチする投稿座標に対応づけられており、かつ、検索キーワードにマッチする投稿記事を前記蓄積した投稿記事の内から複数抽出して、抽出した各投稿記事を含む検索結果記事列を返信するＳＮＳ（social networking service）サーバに、前記施設情報をユーザに提供する施設である対象施設の座標を検索座標とし、肯定的評価を表す語句を検索キーワードとする検索要求を無線通信を介して発行し、前記検索結果記事列を取得する検索部と、
前記検索部が取得した検索結果記事列に含まれる複数の投稿記事に重複して含まれる、前記対象施設の施設名称と前記検索キーワードとした語句とを除く語句をキー語句として算定し、算定したキー語句を含む情報を前記対象施設の前記施設情報として、前記案内画像の前記対象施設に対応する位置に重ねて表示する施設情報表示部とを有することを特徴とするナビゲーション装置。
【請求項１５】
コンピュータによって読み取られ実行されるコンピュータプログラムであって、
前記コンピュータを、請求項１、２、３、４、５、６、７、８、９、１０、１１、１２、１３または１４記載のナビゲーション装置として機能させることを特徴とするコンピュータプログラム。
【発明の詳細な説明】
【技術分野】
【０００１】
本発明は、ナビゲーション装置において施設情報を提供する技術に関するものである。
【背景技術】
【０００２】
ナビゲーション装置において施設情報を提供する技術としては、ナビゲーション装置への施設情報提供専用のＷＷＷサーバをインタフェースネット上に設け、当該ＷＷＷサーバにおいて、ナビゲーション装置から通知された経路周辺の施設の施設情報を、ＷＷＷサーバに情報提供者によって登録された施設情報のうちから検索し、当該要求元のナビゲーション装置に提供する技術が知られている（特許文献１）。
【先行技術文献】
【特許文献】
【０００３】
【特許文献１】特開２００４-２５７９５１号公報
【発明の概要】
【発明が解決しようとする課題】
【０００４】
上述した、ナビゲーション装置への施設情報提供専用のＷＷＷサーバを設ける技術によれば、ナビゲーション装置に提供することができる情報は、施設情報提供専用のＷＷＷサーバを認知し、かつ、当該ＷＷＷサーバへの施設情報の登録の労をいとわない限定的な情報提供者が予め当該ＷＷＷサーバに登録した施設情報に限られる。したがって、ナビゲーション装置のユーザに、鮮度良くユーザにとって有意な施設情報を提供できることを担保することができない。また、ナビゲーション装置への施設情報提供のＷＷＷサーバを専用に設け、これを運用、管理する必要が生じる。
【０００５】
そこで、本発明は、ナビゲーション装置への施設情報提供専用のＷＷＷサーバを必要とすることなしに、ナビゲーション装置のユーザに、鮮度良く、ユーザにとって有意な施設情報を提供できるようにすることを課題とする。
【課題を解決するための手段】
【０００６】
前記課題達成のために、本発明は、施設情報をユーザに提供するナビゲーション装置に、現在位置を算出する現在位置算出部と、地図上に現在位置を表した案内画像を表示する案内画像表示部と、投稿記事の投稿を受け付けて投稿された投稿記事を蓄積すると共に検索キーを伴う検索要求に応えて検索キーにマッチする投稿記事を前記蓄積した投稿記事の内から抽出して、抽出した各投稿記事を含む検索結果記事列を返信するＳＮＳ（social networking service）サーバに、前記施設情報をユーザに提供する施設である対象施設の施設名称と肯定的評価を表す語句とを検索キーとする検索要求を無線通信を介して発行し、前記検索結果記事列を取得する検索部と、前記検索部が取得した検索結果記事列に含まれる複数の投稿記事に重複して含まれる、前記検索キーとした語句を除く語句をキー語句として算定し、算定したキー語句を含む情報を前記対象施設の前記施設情報として、前記案内画像の前記対象施設に対応する位置に重ねて表示する施設情報表示部とを備えたものである。
【０００７】
ここで、このようなナビゲーション装置は、前記施設情報表示部において、前記検索結果記事列に含まれる、前記キー語句を含む投稿記事の数を前記施設情報に含めて表示するように構成してもよい。
また、このナビゲーション装置は、前記検索結果記事列に、複数の投稿記事が、当該投稿記事の投稿日時と共に含まれているものである場合には、前記施設情報表示部において、前記検索部が取得した検索結果記事列に含まれる投稿記事の内の投稿日時が過去所定期間内の複数の投稿記事に重複して含まれる、前記検索キーとした語句を除く語句をキー語句として算定するように構成してもよい。
【０００８】
また、このようなナビゲーション装置に、対象物の複数のカテゴリのうちから前記カテゴリの指定を受け付けて対象カテゴリに設定する対象カテゴリ設定部と、前記カテゴリの各々に対して、当該カテゴリの対象物に対する肯定的評価を表す語句を登録したカテゴリテーブルとを設け、前記検索部において、前記対象施設の施設名称と、前記対象カテゴリ設定部が設定した前記対象カテゴリに対して前記カテゴリテーブルに登録されている語句とを検索キーとする検索要求を無線通信を介して発行し、前記検索結果記事を取得するようにしてもよい。
【０００９】
また、このようなナビゲーション装置は、前記施設情報表示部において、前記各対象施設の前記施設情報を、前記現在位置が当該対象施設に接近したときに表示するように構成してもよい。
また、このようなナビゲーション装置に、前記施設情報表示部が表示した施設情報の選択を受け付け、選択を受け付けた施設情報に含めたキー語句を抽出した投稿記事の一覧を表示する投稿記事表示部を設けるようにしてもよい。または、このようなナビゲーション装置に、前記施設情報表示部が表示した施設情報の選択を受け付け、選択を受け付けた施設情報に含めたキー語句を抽出した投稿記事を読み上げる音声を出力する投稿記事読み上げ部を設けるようにしてもよい。
【００１０】
また、このようなナビゲーション装置に、対象物の複数のカテゴリのうちから前記カテゴリの指定を受け付けて対象カテゴリに設定する対象カテゴリ設定部と、前記カテゴリの各々に対して、当該カテゴリ内の対象物に関連する施設種別を登録したカテゴリテーブルと前記対象カテゴリ設定部が設定した前記対象カテゴリに対して前記カテゴリテーブルに登録されている施設を前記対象施設として選定する施設選定部とを設けることも好ましい。
また、このようなナビゲーション装置に、目的地までの誘導ルートを設定する誘導ルート設定部と、前記誘導ルート周辺の施設を前記対象施設として選定する施設選定部とを設け、前記案内画像表示部において、前記地図上に現在位置と共に誘導ルートを表した前記案内画像を表示するようにしてもよい。
【００１１】
また、このようなナビゲーション装置に、前記現在位置周辺の施設を前記対象施設として選定する施設選定部を設けるようにしてもよい。
また、このようなナビゲーション装置に、ユーザから前記案内画像上で指定されたエリア内に位置する施設を前記対象施設として選定する施設選定部を設けるようにしてもよい。
また、このようなナビゲーション装置に、ユーザから前記案内画像上で指定された施設を前記対象施設として選定する施設選定部を設けるようにしてもよい。
また、このようなナビゲーション装置に、前記対象施設の施設名称と、前記対象施設の施設情報に含まれるキー語句とを自動入力した入力ボックスへの入力を受け付けて、前記入力ボックスに入力された文章を前記投稿記事としてＳＮＳサーバに無線通信を介して投稿する投稿部を設けることも好ましい。
【００１２】
これらのようなナビゲーション装置によれば、ＳＮＳサーバに不特定多数の投稿者によって随時投稿されている鮮度の良い投稿記事を利用して、肯定的評価を表す語句による検索によって得られたナビゲーション装置のユーザにとって有意と考えられる対象施設の肯定的な情報を、当該対象施設の施設情報として提供することができる。
【００１３】
ここで、前記課題達成のために、本発明は、施設情報をユーザに提供するナビゲーション装置に、現在位置を算出する現在位置算出部と、地図上に現在位置を表した案内画像を表示する案内画像表示部と、投稿記事の投稿を当該投稿記事の投稿者の座標を表す投稿座標と共に受け付けて投稿された投稿記事を投稿座標と対応づけて蓄積すると共に、検索座標と検索キーワードを伴う検索要求に応えて、検索座標にマッチする投稿座標に対応づけられており、かつ、検索キーワードにマッチする投稿記事を前記蓄積した投稿記事の内から複数抽出して、抽出した各投稿記事を含む検索結果記事列を返信するＳＮＳ（social networking service）サーバに、前記施設情報をユーザに提供する施設である対象施設の座標を検索座標とし、肯定的評価を表す語句を検索キーワードとする検索要求を無線通信を介して発行し、前記検索結果記事列を取得する検索部と、前記検索部が取得した検索結果記事列に含まれる複数の投稿記事に重複して含まれる、前記対象施設の施設名称と前記検索キーとした語句とを除く語句をキー語句として算定し、算定したキー語句を含む情報を前記対象施設の前記施設情報として、前記案内画像の前記対象施設に対応する位置に重ねて表示する施設情報表示部とを備えたものである。
【００１４】
このようなナビゲーション装置によっても、同様に、ＳＮＳサーバに不特定多数の投稿者によって随時投稿されている鮮度の良い投稿記事を利用して、肯定的評価を表す語句による検索によって得られたナビゲーション装置のユーザにとって有意と考えられる対象施設の肯定的な情報を、当該対象施設の施設情報として提供することができる。
【発明の効果】
【００１５】
以上のように、本発明によれば、ナビゲーション装置への施設情報提供専用のＷＷＷサーバを必要とすることなしに、ナビゲーション装置のユーザに、鮮度良く、ユーザにとって有意な施設情報を提供することができる。
【図面の簡単な説明】
【００１６】
【図１】本発明の実施形態に係る車載システムの構成を示すブロック図である。
【図２】本発明の実施形態に係る地図データベースと検索ワードテーブルを示す図である。
【図３】本発明の実施形態に係るＳＮＳサーバの構成を示すブロック図である。
【図４】本発明の実施形態に係る車載システムの表示例を示す図である。
【図５】本発明の実施形態に係る車載システムのおすすめ情報提供処理を示すフローチャートである。
【発明を実施するための形態】
【００１７】
以下、本発明の実施形態について説明する。
図１に、本実施形態に係る情報システムの構成を示す。
図示するように、情報システムは、各々自動車に搭載される車載システム１と、車載システム１を無線通信を介して収容するインターネット２と、インターネット２に接続した複数のＳＮＳ（social networking service）サーバ３とを含んで構成される。
【００１８】
また、車載システム１は、操作部１１と、表示装置１２と、インターネット２に接続するための無線通信装置１３と、車両状態センサ１４と、ＧＰＳ受信機１５と、地図データベース１６と、検索ワードテーブル１７と、無線通信装置１３を用いた通信を制御する通信制御部１８と、ナビゲーション部１９と、ＳＮＳクライアント２０と、メモリ２１と、制御部２２と、操作部１１や表示装置１２を用いたユーザと車載システム各部間の入出力を処理するＧＵＩ制御部２３とを備えて構成される。
【００１９】
ここで、無線通信装置１３は、たとえば、携帯電話などと呼称される移動電話機であってよく、この場合には無線通信装置１３は、移動電話網を介してインターネット２に接続することになる。
また、車両状態センサ１４は、角加速度センサや地磁気センサなどである方位センサや、車速パルスセンサなどである車速センサなどの、各種車両状態を検出するセンサの集合である。
なお、以上の車載システム１の一部は、ハードウエア的には、マイクロプロセッサや、メモリや、その他の周辺デバイスを有する一般的な構成を備えたＣＰＵ回路として構成してよく、この場合の、ＣＰＵ回路として構成した各部は、マイクロプロセッサが予め用意されたプログラムを実行することにより具現化するプロセスとして実現される。また、この場合、このようなプログラムは、記録媒体や適当な通信路を介してＣＰＵ回路に提供されるものであって良い。
【００２０】
次に、図２ａに示すように、地図データベース１６には、地図を表す地図データとサービスデータとが格納されている。
また、サービスデータは、各所の施設のそれぞれについて設けた施設レコードを含む。そして、施設レコードには、施設に対して一意に与えた施設識別子、施設のレストランやSA(サービスエリア）、観光施設、公園などの種別を表す施設種別、施設の名称である施設名称、施設の経緯度座標を表す施設座標、施設の住所を表す施設住所、施設の電話番号、その他の施設に関する各種情報である施設詳細説明が格納されている。
【００２１】
次に、図２ｂに示すように、検索ワードテーブル１７には、「グルメ」、「景色」などの情報の対象物のカテゴリ毎に対応して設けたエントリを有し、各エントリには対応するカテゴリに関連する施設種別と、対応するカテゴリの施設情報の検索に用いる検索ワードが登録されている。また、検索ワードテーブル１７には、全カテゴリを表す「共通」のエントリも設けており、「共通」のエントリには、各カテゴリの施設情報の検索に共通に用いる検索ワードが登録されている。ここで、検索ワードとしては、対応するカテゴリの対象物の肯定的評価を表す語句を用いる。すなわち、たとえば、カテゴリ「グルメ」であれば、飲食物の肯定的評価を表す「おいしい」、「うまい」、「絶品」、...などを検索ワードとして用いる。
【００２２】
次に、ＳＮＳサーバ３と車載システム１のＳＮＳクライアント２０について説明する。
図３に示すように、ＳＮＳサーバ３は、投稿記事データベース３１とＳＮＳ提供部３２を備えている。
投稿記事データベース３１には、携帯電話やスマートフォンやパーソナルコンピュータや車載システム１のＳＮＳクライアントを用いて、ＳＮＳの多数のアカウントからＳＮＳサーバ３に投稿された投稿記事の各々が投稿記事データとして蓄積されている。
また、各投稿記事データは、投稿記事を投稿したアカウントである投稿アカウント、投稿記事の投稿日時と、投稿記事の内容とが含まれる。
次に、ＳＮＳ提供部３２は、投稿受け付けサービス部３２１、登録タイムライン提供サービス部３２２、検索結果タイムライン提供サービス部３２３とを含んでいる。
そして、投稿受け付けサービス部３２１は、ＳＮＳのアカウントからＳＮＳクライアントを用いてＳＮＳサーバ３に投稿された投稿記事を受け付け、投稿記事データとして投稿記事データベース３１に格納する。
また、登録タイムライン提供サービス部３２２は、投稿記事データベース３１に蓄積されている投稿記事データに基づいて、各ＳＮＳクライアントに、当該ＳＮＳクライアントのアカウントが投稿した投稿記事を、投稿アカウントや投稿日時と共に、投稿日時が最新のものより時系列に上から下へ並べたリストであるタイムラインを生成して配信したり、各ＳＮＳクライアントに、当該ＳＮＳクライアントのアカウント及び当該アカウントがフォローを登録している他のアカウントが、投稿した投稿記事を投稿アカウントや投稿日時と共に、最新のものより時系列に上から下へ並べたリストであるタイムラインを生成し配信する。
【００２３】
そして、検索結果タイムライン提供サービス部３２３は、ＳＮＳクライアントから検索キーを指定した検索要求を受け付け、投稿記事データベース３１に蓄積されている投稿記事データに基づいて、検索キーにマッチする語句を含む投稿記事を検索し、検索した投稿記事を、投稿アカウントや投稿日時と共に、投稿日時が最新のものより時系列に上から下へ並べたリストである検索結果タイムラインを生成し、検索要求発行元のＳＮＳクライアントに配信する。ただし、検索結果タイムラインに含める投稿記事は、過去所定期間内に投稿された記事のみとするようにしてもよい。または、検索結果タイムラインに含める投稿記事は所定数に限定するようにしてもよい。
【００２４】
さて、このような構成において車載システム１のナビゲーション部１９は、車両状態センサ１４やＧＰＳ受信機１５の出力と地図データとのマップマッチング処理による現在位置を算出や、地図データ記憶部に格納されている地図データに基づく、設定された目的地までの誘導ルートの探索及び設定や、目的地到着時などにおける誘導ルートの設定解除なども行う。
【００２５】
また、ナビゲーション部１９は、地図データベース１６の地図データが表す地図を示す地図画像上に、現在位置や設定されている誘導ルートや目的地を表す図形を描画した案内画像を生成し、ＧＵＩ制御部２３を介して表示装置１２に表示する処理などを行う。
図４ａは、このようにして表示された案内画像３００を示すものであり、案内画像３００は、図示するように、地図３０１上に、現在位置を示す現在位置マーク３０２や、目的地を示す目的地マーク３０３や、誘導ルートを表す誘導ルート図形３０４が表示されたものとなっている。
【００２６】
以下、このような構成において車載システム１の制御部２２が行うおすすめ情報提供処理について説明する。
図５に、このおすすめ情報提供処理の手順を示す。
図示するように、この処理では、制御部２２は、誘導ルートが設定されている状態において、操作部１１に対するユーザのおすすめ情報表示指示操作が発生するのを待つ（ステップ５０２）。
そして、操作が発生したならば、検索ワードテーブル１７に登録されている「共通」以外のカテゴリの内からの、表示対象とするおすすめ情報のカテゴリの選択を、適当な選択メニューをＧＵＩ制御部２３を介して表示してユーザから受け付け、選択されたカテゴリを対象カテゴリに設定する（ステップ５０４）。
【００２７】
そして、地図データベース１６のサービスデータの各施設レコードを参照して、誘導ルート沿いの施設を対象施設に設定する（ステップ５０６）。なお、誘導ルート沿いの施設は、誘導ルートまでの距離が所定距離内の施設座標が登録された施設レコードの施設として特定される。なお、ステップ５０６では、地図データベース１６のサービスデータの各施設レコードを参照して、検索ワードテーブル１７の対象カテゴリのエントリに登録された施設種別の施設であって、かつ、誘導ルート沿いに位置する施設のみを対象施設に設定するようにしてもよい。この場合、対象施設は、誘導ルートまでの距離が所定距離内の施設座標と、検索ワードテーブル１７の対象カテゴリのエントリに登録された施設種別とが登録された施設レコードの施設として特定される。
【００２８】
そして、各対象施設毎（ステップ５０８、５１６、５１８）に、以下の処理を行う。
すなわち、まず、検索ワードテーブル１７の「共通」カテゴリのエントリに登録された検索ワードと、検索ワードテーブル１７の対象カテゴリのエントリに登録された検索ワードとの論理和と、対象施設の施設名称との論理積を検索キーとする検索要求を、ＳＮＳクライアント２０に無線通信装置１３を介してＳＮＳサーバ３に発行させることにより、上述した検索結果タイムラインをＳＮＳサーバ３から取得する（ステップ５１０）。より具体的には、たとえば、対象施設の施設名称が「いわきＳＡ」であり、対象カテゴリが「グルメ」であり、図２ｂに示すように検索ワードテーブル１７の「共通」のエントリに登録されている検索ワードが「おすすめ」、「限定」、「イベント」であり、検索ワードテーブル１７の「グルメ」のエントリに登録されている検索ワードが「グルメ」、「うまい」、「おいしい」、「絶品」、「食べたい」である場合には、
「いわきＳＡ」and（「おすすめ」or「限定」or「イベント」or「グルメ」or「うまい」、「おいしい」or「絶品」or「食べたい」)
を検索キーとする検索要求をＳＮＳサーバ３に発行して、上述した検索結果タイムラインをＳＮＳサーバ３から取得する。
【００２９】
次に、このようにして検索結果タイムラインを取得したならば、タイムライン中の投稿記事の内の、投稿日時が過去所定期間（たとえば、１日、３日、１週間など）内の投稿記事を対象投稿記事として、所定数（たとえば、２や５）の対象投稿記事に重複して含まれる、検索キーに含めた語句以外の語句をおすすめ対象語句として抽出する（ステップ５１２）。
【００３０】
すなわち、おすすめ対象語句を抽出される語句が重複して含まれる投稿記事数の最小値が２であり、上述のように、
「いわきＳＡ」and（「おすすめ」or「限定」or「イベント」or「グルメ」or「うまい」、「おいしい」or「絶品」or「食べたい」)
を検索キーとする検索結果タイムライン中に含まれていた投稿日時が過去所定期間内の記事、すなわち、対象投稿記事が、
「いわきSAなう  ソフトクリーム、おすすめ」と、
「いわきSAの限定ソフトクリームおいしいよ」...であれば、
対象投稿記事に重複する語句は、「いわきSA」と、「ソフトクリーム」となり、このうち、「いわきSA」は検索キーに含まれているので、「ソフトクリーム」のみをおすすめ対象語句として抽出する。
【００３１】
ただし、おすすめ対象語句の抽出においては、対象カテゴリに関連する名詞以外の語句は、おすすめ対象語句として抽出しないようにしてもよい。すなわち、各対象投稿記事に対して構文解析を行って名詞以外の語句をおすすめ対象語句から除外したり、カテゴリ毎に対応した当該カテゴリに関連する名詞（たとえば、カテゴリ「グルメ」に対して「ソフト」、「ソフトクリーム」、「そば」など）を登録した辞書を設けておき、対象カテゴリに対応する辞書に含まれる名詞（たとえば、「ソフトクリーム」）や、対象カテゴリに対応する辞書に含まれる名詞を含む複合名詞（たとえば、「桃ソフト」）以外はおすすめ対象語句として抽出しないようにしてもよい。
【００３２】
さて、次に、このようにしておすすめ対象語句を抽出したならば、図４ｂに示すように、案内画像３００上に、対象施設の施設座標に対応する案内画像３００中の地図上の位置からの吹き出しの形態で、おすすめ対象語句と当該おすすめ対象語句が含まれていた対象投稿記事の数とを含むおすすめ情報３１０を表示する（ステップ５１４）。
【００３３】
そして、各対象施設についておすすめ情報３１０を表示したならば（ステップ５１４）、表示したおすすめ情報のユーザによる操作部１１を用いた選択操作の発生（ステップ５２０）と、ユーザの操作部１１を用いたおすすめ情報消去操作の発生（ステップ５２２）とを監視する。
【００３４】
そして、おすすめ情報３１０の選択操作が発生したならば（ステップ５２０）、図４ｃに示すように選択されたおすすめ情報３１０に対応する対象施設について上述のように求めた対象投稿記事のうちの、対象施設について抽出したおすすめ対象語句を含む投稿記事を、投稿アカウントや投稿日時と共に、投稿日時が最新のものより時系列に上から下へ並べたリストであるおすすめタイムライン３２０を生成し、案内画像３００上に表示する（ステップ５２４）。
【００３５】
一方、おすすめ情報消去操作が発生した場合には（ステップ５２２）、おすすめ情報３１０や、おすすめタイムライン３２０の表示を消去して、表示装置１２の表示を図４ａに示す案内画像３００の表示に復帰し（ステップ５２６）、ステップ５０２からの処理に戻る。
以上、制御部２２が行うおすすめ情報提供処理について説明した。
【００３６】
以上、本発明の実施形態について説明した。
以上のように、本実施家板英によれば、ＳＮＳサーバ３に不特定多数の投稿者によって随時投稿されている鮮度の良い投稿記事を利用して、肯定的評価を表す語句による検索によって得られたナビゲーション装置のユーザにとって有意と考えられる対象施設の肯定的な情報を、当該対象施設の施設情報として提供することができる。
【００３７】
ところで、以上の実施形態は、車載システム１にテキストを読み上げた音声を出力する音声出力装置を設け、以上のおすすめ情報提供処理のステップ５２４を、おすすめタイムライン３２０を生成表示する処理に代えて、おすすめタイムラインに含まれる投稿記事を読み上げた音声を出力する処理としてもよい。
【００３８】
また、以上の実施形態では、おすすめ情報提供処理のステップ５０４以降の処理を、誘導ルートが設定されている状態において、ユーザのおすすめ情報表示指示操作が発生したときに行ったが、これは、誘導ルートが設定されたときに、自動的におすすめ情報提供処理のステップ５０４以降の処理を行うようにしてもよい。
【００３９】
また、以上の実施形態では、対象施設の全てについておすすめ情報を同時に表示したが、これは、各対象施設のおすすめ情報を、当該対象施設に現在位置が所定距離以内に接近したときに行うようにしてもよい。すなわち、この場合には、おすすめ情報提供処理のステップ５１４において、各対象施設について生成したおすすめ情報を対応する対象施設と関係づけて保存しておくようにすると共に、以降、おすすめ情報が保存されている対象施設の施設座標への現在位置の接近を監視し、現在位置が所定距離以内に接近した対象施設が発生したときに、保存されている当該接近した対象施設に関係づけられたおすすめ情報を、上述のように、当該接近した対象施設の施設座標に対応する案内画像３００中の地図上の位置からの吹き出しの形態で、案内画像３００上に表示するようにする。また、この場合には、ステップ５１４におけるおすすめ情報の表示や、ステップ５２０-５２６の処理は、これを行わないようにしてもよい。
【００４０】
また、以上の実施形態では、おすすめ情報提供処理において誘導ルート沿いの施設を対象施設として、各対象施設のおすすめ情報を表示するようにしたが、これは、現在位置周辺の施設を対象施設として各対象施設のおすすめ情報を表示したり、ユーザから案内画像３００上で指定された地理的範囲に含まれる施設を対象施設として、各対象施設のおすすめ情報を表示するようにしたり、ユーザから案内画像３００上で指定された施設を対象施設として、対象施設のおすすめ情報を表示するようにしてもよい。
【００４１】
また、以上の実施形態は、図４ｂに示すように、表示した各おすすめ情報毎に「投稿」ボタン３１１を表示し、ユーザの「投稿」ボタン３１１の操作が発生したならば、ＳＮＳクライアント２０に、図４ｄに示すように、ＳＮＳサーバ３への投稿受け付け用のウインドウ３３０を表示させるようにしてもよい。また、この場合には、投稿受け付け用のウインドウ３３０に設けられている、ユーザの投稿記事の入力受け付け用の入力ボックス３３１に対する、「投稿」ボタン３１１が操作されたおすすめ情報３１０に対応する対象施設の施設名称（図では「いわきＳＡ」）と、当該おすすめ情報３１０に含まれているおすすめ対象語句（図では「ソフトクリーム」）との自動入力を、ＳＮＳクライアント２０に行わせるようにしてもよい。
【００４２】
この場合、ＳＮＳクライアント２０は、投稿受け付け用のウインドウ３３０を表示したならば、入力ボックス３３１への文字入力や編集を受け付け、「投稿する」ボタン３３２が操作されたならば、その時点で入力ボックス３３１に入力されている文章を、投稿記事としてＳＮＳサーバ３に投稿する。
【００４３】
このようにすることにより、表示されたおすすめ情報を利用した車載システム１のユーザは、利用後の感想を、容易にＳＮＳサーバ３に投稿して、他のユーザの利用に供することができるようになる。
また、以上の実施形態は、ＳＮＳサーバ３に投稿記事が、投稿者の位置情報と共に投稿され、ＳＮＳサーバ３が、投稿記事を位置情報に対応づけて投稿記事データベース３１に蓄積するものであって、ＳＮＳサーバ３の検索結果タイムライン提供サービス部３２３が、位置情報とキーワードによる投稿記事の複合的な検索を行えるものである場合には、施設名称に代えて施設座標を用いて、投稿記事の検索を行うようにしてもよい。
すなわち、この場合には、おすすめ情報提供処理のステップ５１０では、検索ワードテーブル１７の「共通」カテゴリのエントリに登録された検索ワードと、検索ワードテーブル１７の対象カテゴリのエントリに登録された検索ワードとの論理和を検索キーとし、対象施設の施設座標を検索位置とする検索要求を、ＳＮＳクライアント２０に無線通信装置１３を介してＳＮＳサーバ３に発行させるようにする。そして、この場合、ＳＮＳサーバ３の検索結果タイムライン提供サービス部３２３は、検索位置にマッチする位置情報に対応づけられており、かつ、検索キーにマッチする語句を含む投稿記事を投稿記事データベース３１より検索し、検索した投稿記事を含めた検索結果タイムラインを検索要求発行元のＳＮＳクライアント２０に返信する。また、車載システムは、おすすめ情報提供処理のステップ５１２において、検索結果タイムラインを取得したならば、タイムライン中の投稿記事の内の、投稿日時が過去所定期間内の投稿記事を対象投稿記事として、所定数（たとえば、２や５）の対象投稿記事に重複して含まれる、対象施設の施設名称と検索キーに含めた語句以外の語句をおすすめ対象語句として抽出する。
【符号の説明】
【００４４】
１…車載システム、２…インターネット、３…ＳＮＳサーバ、１１…操作部、１２…表示装置、１３…無線通信装置、１４…車両状態センサ、１５…ＧＰＳ受信機、１６…地図データベース、１７…検索ワードテーブル、１８…通信制御部、１９…ナビゲーション部、２０…ＳＮＳクライアント、２１…メモリ、２２…制御部、２３…ＧＵＩ制御部、３１…投稿記事データベース、３２…ＳＮＳ提供部。
【図１】
0005839978.tif 000002
【図２】
0005839978.tif 000003
【図３】
0005839978.tif 000004
【図４】
0005839978.tif 000005
【図５】
0005839978.tif 000006